(57)【要約】  【課題】  フォーカス出力電圧のリップルが小さいフライバックトランスを得る。  【解決手段】  フライバックトランス１は、２次側コイル１ｂの多分割された各高圧コイル３ａ〜３ｇの出力側に直列に、第１高圧整流ダイオード４ａ〜４ｇを接続している。２次側コイル１ｂのコイル巻き始め端（２次側コイル１ｂの低電位側）には第２高圧整流ダイオード６が接続されている。中段の高圧コイル３ｄと第１高圧整流ダイオード４ｃのカソードとの第１中段接続点２ａには、ブリーダ抵抗Ｒ１，Ｒ２が接続されている。さらに、高圧コイル３ｄと第１中段接続点２ａとの間に、順方向に直列に第３高圧整流ダイオード７を接続している。【選択図】  図１
2006108534.tif 000002
【特許請求の範囲】
【請求項１】
２次側コイルの多分割された各高圧コイルの出力側に直列に、第１高圧整流ダイオードを接続すると共に、２次側コイルの低電位端に第２高圧整流ダイオードを設け、中段の高圧コイルと第１高圧整流ダイオードのカソードとの第１中段接続点に接続したブリーダ抵抗の途中からフォーカス電圧を取り出す方式のフライバックトランスにおいて、
前記中段の高圧コイルと前記第１中段接続点との間に、順方向に直列に第３高圧整流ダイオードを接続したことを特徴とするフライバックトランス。
【請求項２】
２次側コイルの多分割された各高圧コイルの出力側に直列に、第１高圧整流ダイオードを接続すると共に、２次側コイルの低電位端に第２高圧整流ダイオードを設け、中段の高圧コイルと第１高圧整流ダイオードのカソードとの第１中段接続点に接続したブリーダ抵抗の途中からフォーカス電圧を取り出す方式のフライバックトランスにおいて、
前記ブリーダ抵抗と前記第１中段接続点との間に、カソードを前記ブリーダ抵抗側にして第４高圧整流ダイオードを接続したことを特徴とするフライバックトランス。
【請求項３】
２次側コイルの多分割された各高圧コイルの出力側に直列に、第１高圧整流ダイオードを接続すると共に、２次側コイルの低電位端に第２高圧整流ダイオードを設け、中段の高圧コイルと第１高圧整流ダイオードのアノードとの第２中段接続点に接続したブリーダ抵抗の途中からフォーカス電圧を取り出す方式のフライバックトランスにおいて、
前記ブリーダ抵抗と前記第２中段接続点との間に、カソードを前記ブリーダ抵抗側にして第５高圧整流ダイオードを接続したことを特徴とするフライバックトランス。
【発明の詳細な説明】
【技術分野】
【０００１】
本発明は、フライバックトランス、特にテレビジョン受像機の受像管などに使用されるフライバックトランスに関する。
【背景技術】
【０００２】
従来より、テレビジョン受像機の受像管などに使用されるフライバックトランスとして、例えば、特許文献１に記載のものが知られている。図７に示すように、このフライバックトランス５１は、２次側コイル５１ｂの多分割された各高圧コイル５３ａ〜５３ｇの出力側に直列に、第１高圧整流ダイオード５４ａ〜５４ｇを接続している。
【０００３】
２次側コイル５１ｂの低電位端（コイル巻き始め端）には第２高圧整流ダイオード５６が接続されている。コイル巻き始め端に第２高圧整流ダイオード５６を接続することにより、２次側コイル５１ｂの分布容量が小さくなり、コイル部の発熱を抑えて小型化することができる。さらに、中段の高圧コイル５３ｄと第１高圧整流ダイオード５４ｃのカソードとの中段接続点５２には、ブリーダ抵抗Ｒ１，Ｒ２が接続されている。
【０００４】
このフライバックトランス５１では、中段接続点５２に出力される電圧を、ブリーダ抵抗Ｒ１，Ｒ２で分圧することでフォーカス出力電圧が得られ、受像管のフォーカスなどへ出力される。なお、２次側コイル５１ｂの巻き始め端に第２高圧整流ダイオード５６が接続された方式の場合、２次側コイル５１ｂの巻き始め端とグランドとの間は交流的に絶縁されており、１次側コイル５１ａと２次側コイル５１ｂとの間の分布容量は各部で均一となる。そのため、２次側コイル５１ｂの各高圧コイル５３ａ〜５３ｇの両端に同一容量を接続した集中定数回路と考えることができ、各高圧コイル５３ａ〜５３ｇの中央部が交流的に接地された交流０点となる。これにより、２次側コイル５１ｂの各高圧コイル５３ａ〜５３ｇの両端に正負のパルスが発生する。
【０００５】
しかしながら、中段接続点５２に出力される電圧からフォーカス出力電圧を得る方式の場合、中段接続点５２の直上の高圧コイル５３ｄに発生した正パルスと負パルスがそのままフォーカス出力電圧にリップル成分として重畳されるため、リップルが大きくなるという問題があった。図８は、フライバックトランス５１のフォーカス出力リップル電圧波形、１次側電流波形および１次側電圧波形を示すグラフである。図８では、リップル電圧が約１２００Ｖであった。
【特許文献１】特開平８−２７３９５３号公報
【発明の開示】
【発明が解決しようとする課題】
【０００６】
そこで、本発明の目的は、フォーカス出力電圧のリップルが小さいフライバックトランスを提供することにある。
【課題を解決するための手段】
【０００７】
前記目的を達成するため、本発明に係るフライバックトランスは、
２次側コイルの多分割された各高圧コイルの出力側に直列に、第１高圧整流ダイオードを接続すると共に、２次側コイルの低電位端に第２高圧整流ダイオードを設け、中段の高圧コイルと第１高圧整流ダイオードのカソードとの第１中段接続点に接続したブリーダ抵抗の途中からフォーカス電圧を取り出す方式のフライバックトランスであって、
前記中段の高圧コイルと前記第１中段接続点との間に、順方向に直列に第３高圧整流ダイオードを接続したり、あるいは、前記ブリーダ抵抗と前記第１中段接続点との間に、カソードを前記ブリーダ抵抗側にして第４高圧整流ダイオードを接続したりしたことを特徴とする。
【０００８】
以上の構成により、第１中段接続点の真下の第１高圧整流ダイオードが、第１中段接続点の直下の高圧コイルのリップル成分を平滑し、かつ、第３高圧整流ダイオードまたは第４高圧整流ダイオードが第１中段接続点の直上の高圧コイルに発生した負パルス成分をカットする。
【０００９】
また、本発明に係るフライバックトランスは、
２次側コイルの多分割された各高圧コイルの出力側に直列に、第１高圧整流ダイオードを接続すると共に、２次側コイルの低電位端に第２高圧整流ダイオードを設け、中段の高圧コイルと第１高圧整流ダイオードのアノードとの第２中段接続点に接続したブリーダ抵抗の途中からフォーカス電圧を取り出す方式のフライバックトランスであって、
前記ブリーダ抵抗と前記第２中段接続点との間に、カソードを前記ブリーダ抵抗側にして第５高圧整流ダイオードを接続したことを特徴とする。
【００１０】
以上の構成により、第２中段接続点の真上の第１高圧整流ダイオードが、第２中段接続点の直上の高圧コイルに発生した負パルス成分をカットする。
【発明の効果】
【００１１】
本発明によれば、中段の高圧コイルと第１中段接続点との間に、順方向に直列に第３高圧整流ダイオードを接続したり、あるいは、ブリーダ抵抗と第１中段接続点との間に、カソードをブリーダ抵抗側にして第４高圧整流ダイオードを接続したりすることによって、第１中段接続点の真下の第１高圧整流ダイオードが、第１中段接続点の直下の高圧コイルのリップル成分を平滑し、かつ、第３高圧整流ダイオードまたは第４高圧整流ダイオードが第１中段接続点の直上の高圧コイルに発生した負パルス成分をカットする。
【００１２】
また、ブリーダ抵抗と第２中段接続点との間に、カソードをブリーダ抵抗側にして第５高圧整流ダイオードを接続することによって、第２中段接続点の真上の第１高圧整流ダイオードが、第２中段接続点の直上の高圧コイルに発生した負パルス成分をカットする。この結果、フォーカス出力電圧のリップルが小さいフライバックトランスを得ることができる。
【発明を実施するための最良の形態】
【００１３】
以下、本発明に係るフライバックトランスの実施例について添付図面を参照して説明する。
【実施例】
【００１４】
［第１実施例、図１および図２］
図１に示すように、フライバックトランス１は、２次側コイル１ｂの多分割された各高圧コイル３ａ〜３ｇの出力側に直列に、第１高圧整流ダイオード４ａ〜４ｇを接続している。
【００１５】
２次側コイル１ｂのコイル巻き始め端（２次側コイル１ｂの低電位側）には第２高圧整流ダイオード６が接続されている。コイル巻き始め端に第２高圧整流ダイオード６を接続することにより、２次側コイル１ｂの分布容量が小さくなり、コイル部の発熱を抑えて小型化することができる。中段の高圧コイル３ｄと第１高圧整流ダイオード４ｃのカソードとの第１中段接続点２ａには、ブリーダ抵抗Ｒ１，Ｒ２が接続されている。さらに、高圧コイル３ｄと第１中段接続点２ａとの間に、順方向に直列に第３高圧整流ダイオード７を接続している。
【００１６】
このフライバックトランス１では、第１中段接続点２ａに出力される電圧を、ブリーダ抵抗Ｒ１，Ｒ２で分圧することでフォーカス出力電圧が得られ、受像管のフォーカスなどへ出力される。２次側コイル１ｂの巻き始め端に第２高圧整流ダイオード６が接続された方式の場合、２次側コイル１ｂの巻き始め端とグランドとの間は交流的に絶縁されており、１次側コイル１ａと２次側コイル１ｂとの間の分布容量は各部で均一となる。そのため、２次側コイル１ｂの各高圧コイル３ａ〜３ｇの両端に同一容量を接続した集中定数回路と考えることができ、各高圧コイル３ａ〜３ｇの中央部が交流的に接地された交流０点となる。これにより、２次側コイル１ｂの各高圧コイル３ａ〜３ｇの巻き終わり端には正パルスが発生し、巻き始め端には負パルスが発生する。
【００１７】
こうして得られたフライバックトランス１は、高圧コイル３ｄと第１中段接続点２ａとの間に、順方向に直列に第３高圧整流ダイオード７を接続しているので、第１中段接続点２ａの真下の第１高圧整流ダイオード４ｃが、第１中段接続点２ａの直下の高圧コイル３ｃのリップル成分を平滑し、かつ、第３高圧整流ダイオード７が第１中段接続点２ａの直上の高圧コイル３ｄに発生した負パルス成分をカットする。この結果、フォーカス出力電圧のリップルが小さいフライバックトランス１を得ることができる。
【００１８】
図２は、フライバックトランス１のフォーカス出力リップル電圧波形、１次側電流波形および１次側電圧波形を示すグラフである。図２では、フォーカス出力のリップル電圧が約１５０Ｖであった。
【００１９】
［第２実施例、図３および図４］
第２実施例は、前記第１実施例のフライバックトランス１を変形したものであり、その詳細な構成、動作の説明は省略する。図３に示すように、フライバックトランス１Ａは、ブリーダ抵抗Ｒ１と第１中段接続点２ａとの間に、カソードをブリーダ抵抗Ｒ１側にして第４高圧整流ダイオード８を接続している。
【００２０】
このフライバックトランス１Ａは、ブリーダ抵抗Ｒ１と第１中段接続点２ａとの間に、カソードをブリーダ抵抗Ｒ１側にして第４高圧整流ダイオード８を接続しているので、第１中段接続点２ａの真下の第１高圧整流ダイオード４ｃが、第１中段接続点２ａの直下の高圧コイル３ｃのリップル成分を平滑し、かつ、第４高圧整流ダイオード８が第１中段接続点２ａの直上の高圧コイル３ｄに発生した負パルス成分をカットする。この結果、フォーカス出力電圧のリップルが小さいフライバックトランス１Ａを得ることができる。
【００２１】
図４は、フライバックトランス１Ａのフォーカス出力リップル電圧波形、１次側電流波形および１次側電圧波形を示すグラフである。図４では、フォーカス出力のリップル電圧が約１５０Ｖであった。
【００２２】
［第３実施例、図５および図６］
第３実施例も、前記第１実施例のフライバックトランス１を変形したものであり、その詳細な構成、動作の説明は省略する。図５に示すように、フライバックトランス１Ｂは、中段の高圧コイル３ｃと第１高圧整流ダイオード４ｃのアノードとの第２中段接続点２ｂに接続したブリーダ抵抗Ｒ１，Ｒ２の途中からフォーカス電圧を取り出している。さらに、ブリーダ抵抗Ｒ１と第２中段接続点２ｂとの間に、カソードをブリーダ抵抗Ｒ１側にして第５高圧整流ダイオード９を接続している。
【００２３】
このフライバックトランス１Ｂは、ブリーダ抵抗Ｒ１と第２中段接続点２ｂとの間に、カソードをブリーダ抵抗Ｒ１側にして第５高圧整流ダイオード９を接続しているので、第２中段接続点２ｂの真上の第１高圧整流ダイオード４ｃが、第２中段接続点２ｂの直上の高圧コイル３ｄに発生した負パルス成分をカットする。この結果、フォーカス出力電圧のリップルが小さいフライバックトランス１Ｂを得ることができる。
【００２４】
図６は、フライバックトランス１Ｂのフォーカス出力リップル電圧波形、１次側電流波形および１次側電圧波形を示すグラフである。図６では、フォーカス出力のリップル電圧が約３５０Ｖであった。
【００２５】
なお、本発明に係るフライバックトランスは前記実施例に限定するものではなく、その要旨の範囲内で種々に変更することができる。
【図面の簡単な説明】
【００２６】
【図１】本発明に係るフライバックトランスの第１実施例の構成を示す電気回路図。
【図２】図１に示したフライバックトランスのフォーカス出力リップル電圧波形、１次側電流波形および１次側電圧波形を示すグラフ。
【図３】本発明に係るフライバックトランスの第２実施例の構成を示す電気回路図。
【図４】図３に示したフライバックトランスのフォーカス出力リップル電圧波形、１次側電流波形および１次側電圧波形を示すグラフ。
【図５】本発明に係るフライバックトランスの第３実施例の構成を示す電気回路図。
【図６】図５に示したフライバックトランスのフォーカス出力リップル電圧波形、１次側電流波形および１次側電圧波形を示すグラフ。
【図７】従来のフライバックトランスの構成を示す電気回路図。
【図８】図７に示したフライバックトランスのフォーカス出力リップル電圧波形、１次側電流波形および１次側電圧波形を示すグラフ。
【符号の説明】
【００２７】
１，１Ａ，１Ｂ…フライバックトランス
１ａ…１次側コイル
１ｂ…２次側コイル
３ａ〜３ｇ…高圧コイル
４ａ〜４ｇ…第１高圧整流ダイオード
６…第２高圧整流ダイオード
７…第３高圧整流ダイオード
８…第４高圧整流ダイオード
９…第５高圧整流ダイオード
Ｒ１，Ｒ２…ブリーダ抵抗
【図１】
2006108534.tif 000003
【図２】
2006108534.tif 000004
【図３】
2006108534.tif 000005
【図４】
2006108534.tif 000006
【図５】
2006108534.tif 000007
【図６】
2006108534.tif 000008
【図７】
2006108534.tif 000009
【図８】
2006108534.tif 000010